(57)【要約】【課題】消灯非表示状態にある意匠図柄を目立ち難くすることができる車両表示装置を提供することを目的とする。【解決手段】車両表示装置１は、可視光域成分の光を遮光する遮光樹脂部５１、及び、意匠図柄５０を構成し軸線方向Ｘに沿って可視光域成分の光を透過させることで意匠図柄５０を発光表示させる発光樹脂部５２が一体で形成され、軸線方向Ｘに対して遮光樹脂部５１の一方側の表面と発光樹脂部５２の一方側の表面とが揃って意匠面５３を構成する樹脂部材１２と、意匠面５３に遮光樹脂部５１と発光樹脂部５２との境界５４に跨って設けられ、入射する可視光域成分の光の一部を反射すると共に、入射する可視光域成分の光の他の一部を透過させるハーフミラー層５６とを備えることを特徴とする。【選択図】図２
2019011952.tif 000002
【特許請求の範囲】
【請求項１】
可視光域成分の光を遮光する遮光樹脂部、及び、意匠図柄を構成し軸線方向に沿って可視光域成分の光を透過させることで前記意匠図柄を発光表示させる発光樹脂部が一体で形成され、前記軸線方向に対して前記遮光樹脂部の一方側の表面と前記発光樹脂部の一方側の表面とが揃って意匠面を構成する樹脂部材と、
前記意匠面に前記遮光樹脂部と前記発光樹脂部との境界に跨って設けられ、入射する可視光域成分の光の一部を反射すると共に、入射する可視光域成分の光の他の一部を透過させるハーフミラー層とを備えることを特徴とする、
車両表示装置。
【請求項２】
前記発光樹脂部は、可視光域成分の光を減光して透過させる、
請求項１に記載の車両表示装置。
【請求項３】
前記意匠面は、前記遮光樹脂部と前記発光樹脂部との境界に跨って一方向に沿ったヘアライン模様が付されている、
請求項１又は請求項２に記載の車両表示装置。
【発明の詳細な説明】
【技術分野】
【０００１】
本発明は、車両表示装置に関する。
【背景技術】
【０００２】
車両に適用される従来の車両表示装置に関する技術として、例えば、特許文献１には、文字板と、導光体と、立体意匠部と、凹形状部と、色印刷とを備えることを特徴とする自動車用メータの立体意匠部構造が開示されている。導光体は、文字板の裏側に配設されて基端側より光源からの光が入射される。立体意匠部は、導光体の先端側に突設されて文字板に穿設された貫通孔より突出する。凹形状部は、文字板と反対側となる導光体の導光体裏面において立体意匠部を包囲して形成される。色印刷は、導光体裏面において立体意匠部を包囲するように凹形状部を含んで施される。
【先行技術文献】
【特許文献】
【０００３】
【特許文献１】特開２０１４−１７８２７９号公報
【発明の概要】
【発明が解決しようとする課題】
【０００４】
ところで、上述の特許文献１に記載の立体意匠部構造が適用される自動車用メータは、例えば、ターン表示部等、光源からの光によって発光表示される意匠図柄が設けられる場合がある。このような場合に、この自動車用メータは、意匠図柄が消灯非表示状態である際には当該意匠図柄が目立たないようにすることが望まれている。
【０００５】
本発明は、上記の事情に鑑みてなされたものであって、消灯非表示状態にある意匠図柄を目立ち難くすることができる車両表示装置を提供することを目的とする。
【課題を解決するための手段】
【０００６】
上記目的を達成するために、本発明に係る車両表示装置は、可視光域成分の光を遮光する遮光樹脂部、及び、意匠図柄を構成し軸線方向に沿って可視光域成分の光を透過させることで前記意匠図柄を発光表示させる発光樹脂部が一体で形成され、前記軸線方向に対して前記遮光樹脂部の一方側の表面と前記発光樹脂部の一方側の表面とが揃って意匠面を構成する樹脂部材と、前記意匠面に前記遮光樹脂部と前記発光樹脂部との境界に跨って設けられ、入射する可視光域成分の光の一部を反射すると共に、入射する可視光域成分の光の他の一部を透過させるハーフミラー層とを備えることを特徴とする。
【０００７】
また、上記車両表示装置では、前記発光樹脂部は、可視光域成分の光を減光して透過させるものとすることができる。
【０００８】
また、上記車両表示装置では、前記意匠面は、前記遮光樹脂部と前記発光樹脂部との境界に跨って一方向に沿ったヘアライン模様が付されているものとすることができる。
【発明の効果】
【０００９】
本発明に係る車両表示装置は、樹脂部材において、可視光域成分の光を遮光する遮光樹脂部、及び、意匠図柄を構成する発光樹脂部が一体で形成され、遮光樹脂部の表面と発光樹脂部の表面とが揃って意匠面を構成する。そして、車両表示装置は、意匠面に遮光樹脂部と発光樹脂部との境界に跨ってハーフミラー層が設けられるので、遮光樹脂部と発光樹脂部との境界を目立ち難くすることができる。この結果、車両表示装置は、消灯非表示状態にある意匠図柄を目立ち難くすることができる、という効果を奏する。
【図面の簡単な説明】
【００１０】
【図１】図１は、実施形態に係る車両表示装置の概略構成を示す正面図である。
【図２】図２は、実施形態に係る車両表示装置の概略構成を示す部分断面斜視図（図１に示すＡ−Ａ断面図）である。
【図３】図３は、実施形態に係る車両表示装置の意匠図柄を表す部分平面図である。
【図４】図４は、参考例に係る車両表示装置の概略構成を示す部分断面斜視図である。
【図５】図５は、参考例に係る車両表示装置の意匠図柄を表す部分平面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
図１に示す本実施形態に係る車両表示装置１は、いわゆる車載メータを構成するものである。車両表示装置１は、例えば、車両のダッシュボードに設けられたインストルメントパネルに搭載され、車両の運転に供される情報として当該車両に関する種々の情報を表示する。
【００１３】
なお、図１に示す車両表示装置１の第１方向としての奥行き方向Ｘとは、典型的には、この車両表示装置１が適用される車両の前後方向に相当する。ここでは、奥行き方向Ｘは、発光樹脂部が光を透過させる際の軸線方向に相当する。また、車両表示装置１の前面側とは、奥行き方向Ｘにおいて車両の運転席と対面する側であり、典型的には、当該運転席に座った運転者によって視認される側である。さらに言えば、車両表示装置１の奥行き方向Ｘの前面側は、目視位置ＥＰ（図２参照）が位置する側である。ここで、目視位置ＥＰは、典型的には、車両表示装置１が適用される車両におけるいわゆるアイレンジ内に位置するものとして予め想定される。ここで、アイレンジとは、「自動車の運転者アイレンジ」であり、車両に応じて予め定まる運転者の視点が位置する領域に相当する。アイレンジは、典型的には、車両において運転者の目の位置の分布を統計的に表したものであり、例えば、運転者が運転席に座った状態で所定割合（例えば、９５％）の運転者の目の位置が含まれる領域に相当する。一方、車両表示装置１の背面側とは、奥行き方向Ｘにおいて前面側とは反対側であり、典型的には、インストルメントパネルの内部に収容される側である。また、車両表示装置１の第２方向としての幅方向Ｙとは、典型的には、この車両表示装置１が適用される車両の車幅方向に相当する。以下の説明では、車両表示装置１の幅方向Ｙにおいて、当該車両表示装置１の前面に向かって左側（図１中左側）を幅方向Ｙ左側、向かって右側（図１中右側）を幅方向Ｙ右側という場合がある。車両表示装置１の第３方向としての高さ方向Ｚとは、典型的には、この車両表示装置１が適用される車両の車高方向に相当し、例えば、当該車両が水平面に位置した状態で鉛直方向に沿った方向である。以下の説明で用いる各方向は、特に断りのない限り、車両表示装置１の各構成が相互に組み付けられ当該車両表示装置１がインストルメントパネルに組み付けられた状態での方向を表す。
【００１４】
本実施形態の車両表示装置１は、車両に関する情報を表示する表示部として、例えば、速度計２、回転計３、画像表示部４、方向指示表示部５等を備える。速度計２は、車速を表示する。回転計３は、走行用動力源の出力回転数を表示する。画像表示部４は、画像情報を表示する。方向指示表示部５は、車両の方向指示器（ウインカ）の動作状態を表示する。車両表示装置１は、各部を収容する筐体６を備え、当該筐体６内に速度計２、回転計３、画像表示部４、方向指示表示部５等が配置されると共に各種情報の表示面が奥行き方向Ｘの前面側、すなわち、目視位置ＥＰ側に露出する。車両表示装置１は、筐体６において、速度計２が幅方向Ｙ右側に配置される一方、回転計３が幅方向Ｙ左側に配置され、さらに、画像表示部４、方向指示表示部５がこれらの間に配置される。
【００１５】
速度計２、回転計３は、それぞれ車両に関する計測値である車速、出力回転数を指針７によって指し示す車両用アナログ式計器である。画像表示部４は、例えば、薄型の液晶ディスプレイ、プラズマディスプレイ、有機ＥＬディスプレイ等を用いることができる。画像表示部４は、車両に関する情報として、例えば、積算走行距離、冷却水温、燃料残量、バッテリ蓄電量、ナビゲーション情報、地図情報、各種の警告灯（ウォーニングランプ、いわゆるテルテール）、シフトポジションインジケータ等、車両の運転に際して時々刻々と変化する様々な運転に関する運転情報の画像等を表示する。方向指示表示部５は、光源１３の点灯、消灯に応じて、左右のそれぞれの矢印形状（方向指示記号）を表す意匠図柄５０の表示、非表示が切り替えられることで車両の方向指示器の動作状態を表示する。すなわち、方向指示表示部５は、光源１３が点灯し、当該意匠図柄５０の部位に対して当該光源１３から可視光域成分の光が照射され、当該意匠図柄５０の部位において当該照射された光が透過されることで、矢印形状を表す意匠図柄５０が点灯表示状態される。一方、方向指示表示部５は、光源１３が消灯されることで、当該矢印形状を表す意匠図柄５０が消灯非表示状態とされる。ここで、可視光域成分の光とは、人が視認できる可視光領域の波長成分の光であり、例えば、波長が３６０〜８３０ｎｍの範囲の成分の光である。
【００１６】
そして、本実施形態の車両表示装置１は、方向指示表示部５が遮光樹脂部５１と発光樹脂部５２とを含んで構成されると共にこれら遮光樹脂部５１、発光樹脂部５２の奥行き方向Ｘの前面側の面にハーフミラー層５６（図２参照）が設けられる。この構成により、車両表示装置１は、消灯非表示状態にある意匠図柄５０を目立ち難くする構成を実現している。以下、各図を参照して、車両表示装置１の構成について詳細に説明する。
【００１７】
車両表示装置１は、図１、図２に示すように、さらに、背面カバー８と、基板９と、ケース１０と、文字板１１と、押え部材１２と、光源１３とを備える。車両表示装置１は、奥行き方向Ｘの背面側から前面側に向かって、背面カバー８、基板９、ケース１０、文字板１１、押え部材１２の順で積層された構造となっている。そして、車両表示装置１は、基板９に光源１３が実装される。車両表示装置１は、押え部材１２の奥行き方向Ｘの前面側に、さらにいわゆる見返し板や透明カバー（表ガラス）等を備えていてもよい。
【００１８】
背面カバー８とケース１０とは、上述した筐体６を構成するものである。背面カバー８、ケース１０は、例えば、絶縁性を有する樹脂材料等によって構成される。筐体６は、奥行き方向Ｘの背面側に背面カバー８が位置し、奥行き方向Ｘの前面側にケース１０が位置して、背面カバー８とケース１０とが相互に組み付けられる。筐体６は、背面カバー８とケース１０とによって区画される空間部内に光源１３が実装された基板９等の各部が組み付けられこれらを収容する。筐体６は、ケース１０に形成されている開口等を介して速度計２、回転計３、画像表示部４、方向指示表示部５等における各種情報の表示面を奥行き方向Ｘの前面側、すなわち、目視位置ＥＰ側に露出させる。また、ケース１０は、壁部によって光源収容室１０ａが形成されている。光源収容室１０ａは、後述する光源１３を収容するための空間部である。
【００１９】
基板９は、略矩形板状に形成され、車両表示装置１の各部を制御し各種機能を実現するための種々の電子部品、配線が実装されるものである。基板９は、光源１３を含む各種光源や指針７を駆動するためのモータ等が実装される。基板９は、奥行き方向Ｘに対して背面カバー８とケース１０との間に挟持されるようにして保持される。
【００２０】
文字板１１は、奥行き方向Ｘが板厚方向となる板状に形成され、車両表示装置１において表示する車両に関する情報に応じた種々の目盛、図柄、記号、文字、装飾等が描かれた板状の部材である。文字板１１は、車両表示装置１において、奥行き方向Ｘの前面側、すなわち、目視位置ＥＰ側に露出し運転者を含む乗員の視界にはいりうる部分の意匠部材ともなるものである。文字板１１は、例えば、速度計２、回転計３、画像表示部４、方向指示表示部５の各表示面に対応して個別に設けられてもよいし、一体で設けられてもよい。文字板１１は、筐体６のケース１０の目視位置ＥＰ側に設けられ、奥行き方向Ｘに対してケース１０と押え部材１２との間に挟持されるようにして保持される。文字板１１は、種々の目盛、図柄、記号、文字、装飾等が描かれた部分が押え部材１２から目視位置ＥＰ側に露出し種々の情報を表示する表示面を構成する。上述した指針７は、奥行き方向Ｘに対して文字板１１の前面側、すなわち、目視位置ＥＰ側に位置する。文字板１１は、例えば、少なくとも可視光域成分の光を透過し拡散させる光透過性生地のポリカーボネイト製シートの基材に、遮光性を有する暗色系のインクによって上記目盛、図柄、記号、文字、装飾等に対応した形状が中抜きされた印刷が施される。この構成により、文字板１１は、上記目盛、図柄、記号、文字、装飾等が描かれている。文字板１１は、奥行き方向Ｘの背面側の光源（光源１３とは別の光源）から光が照射され、上記目盛、図柄、記号、文字、装飾等が描かれた部分において当該照射された光が透過されることで、当該目盛、図柄、記号、文字、装飾等が点灯表示される。なお、文字板１１は、奥行き方向Ｘに対してケース１０と押え部材１２との間に位置する領域の一部に遮光性を有する暗色系のインクが施されておらず、当該領域が光を透過し拡散させる光拡散領域１１ａを構成する。
【００２１】
押え部材１２は、文字板１１の端部等を奥行き方向Ｘの前面側から覆い、ケース１０との間に文字板１１を挟持し保持する部材である。押え部材１２は、例えば、絶縁性を有する樹脂材料等によって構成される。押え部材１２は、速度計２、回転計３、画像表示部４、方向指示表示部５等における各種情報の表示面を奥行き方向Ｘの前面側、すなわち、目視位置ＥＰ側に露出させつつ、ケース１０との間に文字板１１を挟持した状態でケース１０に組み付けられる。ここでは、押え部材１２は、例えば、速度計２側と回転計３側とで個別に設けられるものとして図示しているがこれに限らず、これらが一体で設けられていてもよい。押え部材１２は、例えば、速度計２、回転計３それぞれの表示面を囲う略円環形状の加飾リング１４等が一体で形成されている。
【００２２】
光源１３は、意匠図柄５０を発光させるためのものである。光源１３は、例えば、ＬＥＤ（Ｌｉｇｈｔ  Ｅｍｉｔｔｉｎｇ  Ｄｉｏｄｅ）素子等によって構成されるがこれに限らない。光源１３は、白色光に限らず、赤色光、青色光、緑色光等、他の明色系の光を照射するものであってもよい。光源１３は、奥行き方向Ｘに対して文字板１１の押え部材１２側とは反対側、すなわち、文字板１１の背面側に位置して設けられる。光源１３は、基板９の奥行き方向Ｘの前面側の実装面に実装され駆動制御される。光源１３は、基板９と共に筐体６内に収容された状態で、ケース１０に設けられた光源収容室１０ａ内に位置する。光源１３は、奥行き方向Ｘの前面側に向けて可視光域成分を含む光を照射する。つまりここでは、光源１３による光の照射方向、言い換えれば、光源１３の光軸方向は、奥行き方向Ｘに沿った方向である。光源１３は、発光表示させる意匠図柄５０の数に応じて複数、ここでは２つ設けられる。
【００２３】
そして、本実施形態の車両表示装置１は、方向指示表示部５において左右のそれぞれの矢印形状を表す意匠図柄５０が上述した押え部材１２に設けられている。本実施形態の押え部材１２は、方向指示表示部５の一部を構成するものであり、遮光樹脂部５１、及び、発光樹脂部５２が一体で形成された樹脂部材である。
【００２４】
遮光樹脂部５１は、可視光域成分の光を遮光する遮光性を有する樹脂材料等によって構成される。遮光樹脂部５１は、押え部材１２の主たる部分を構成する本体部である。遮光樹脂部５１は、例えば、暗色系の樹脂材料等によって構成される。
【００２５】
一方、発光樹脂部５２は、可視光域成分の光を透過する光透過性を有する樹脂材料等によって構成される。発光樹脂部５２は、遮光樹脂部５１によって構成される押え部材１２の本体部において、意匠図柄５０を構成し奥行き方向Ｘに沿って可視光域成分の光を透過させることで意匠図柄５０を発光表示させる部分である。ここでは、発光樹脂部５２は、各押え部材１２の遮光樹脂部５１に対してそれぞれ１つずつ、合計２つ設けられている。２つの発光樹脂部５２は、目視位置ＥＰから奥行き方向Ｘに沿って視て、左右のそれぞれの矢印形状に形成され、それぞれ左右の矢印形状を表す意匠図柄５０を構成する。ここでは、一方の意匠図柄５０は、幅方向Ｙの右側を指し示す矢印形状であり、車両において右側に方向指示がなされていることを表す。他方の意匠図柄５０は、幅方向Ｙの左側を指し示す矢印形状であり、車両において左側に方向指示がなされていることを表す。本実施形態の発光樹脂部５２は、可視光域成分の光を透過する光透過性を有しかつ透過させる際に可視光域成分の光を減光して透過させる樹脂材料、いわゆるスモーク材によって構成される。発光樹脂部５２は、所定の透過率で光を透過する。つまり、発光樹脂部５２は、入射する光の光量に対して出射する光の光量を低減する。発光樹脂部５２は、可視光域成分のうち、より減光したい成分の色彩、ここでは一例として遮光樹脂部５１と同色系の暗色系のスモーク材を使用することが好ましい。
【００２６】
そして、遮光樹脂部５１と発光樹脂部５２とは、例えば、インサート成形等によって一体で形成され押え部材１２を構成する。すなわち、押え部材１２は、遮光樹脂部５１に発光樹脂部５２が埋め込まれたような状態でインサート成形され全体が形成される。発光樹脂部５２は、遮光樹脂部５１に埋め込まれかつ奥行き方向Ｘの両端面が露出した状態で遮光樹脂部５１と一体化される。言い換えれば、遮光樹脂部５１は、発光樹脂部５２の周りを囲うようにして発光樹脂部５２と一体化される。各発光樹脂部５２は、それぞれ奥行き方向Ｘに沿って光源１３と対向する位置に設けられる。
【００２７】
そして、押え部材１２は、奥行き方向Ｘに対して遮光樹脂部５１の一方側の表面と発光樹脂部５２の一方側の表面とが揃って意匠面５３を構成する。意匠面５３は、遮光樹脂部５１の奥行き方向Ｘの前面側の表面と発光樹脂部５２の奥行き方向Ｘの前面側の表面とが同面で連続することで略平面状に形成される。そして、押え部材１２は、意匠面５３において、遮光樹脂部５１と発光樹脂部５２との境界５４が意匠図柄５０の輪郭線を構成する。言い換えれば、押え部材１２は、遮光樹脂部５１の発光樹脂部５２側の界面が発光樹脂部５２によって構成される意匠図柄５０の見切り面を構成する。つまり、遮光樹脂部５１の発光樹脂部５２側の界面は、樹脂成形品による意匠図柄５０の見切り面を構成する。また、本実施形態の意匠面５３は、遮光樹脂部５１と発光樹脂部５２との境界５４に跨って一方向に沿ったヘアライン模様５５が付されている。ヘアライン模様５５は、意匠面５３において境界５４に跨って遮光樹脂部５１と発光樹脂部５２とに渡って一方向、ここでは、幅方向Ｙに沿って形成される複数の直線状の微細溝によって構成される。
【００２８】
そして、本実施形態の車両表示装置１は、さらに、押え部材１２の奥行き方向Ｘの前面側の意匠面５３にハーフミラー層５６を備える。つまり、車両表示装置１は、奥行き方向Ｘの背面側から前面側に向かって、背面カバー８、基板９、ケース１０、文字板１１、押え部材１２、ハーフミラー層５６の順で積層された構造となる。ハーフミラー層５６は、入射する可視光域成分の光の一部を反射すると共に、入射する可視光域成分の光の他の一部を透過させる層である。ハーフミラー層５６は、意匠面５３に遮光樹脂部５１と発光樹脂部５２との境界５４に跨って遮光樹脂部５１と発光樹脂部５２とに渡って設けられる。ハーフミラー層５６は、例えば、意匠面５３に蒸着等により成膜された金属又は無機多層薄膜などである。
【００２９】
上記のように構成される車両表示装置１は、方向指示表示部５において、光源１３の点灯、消灯に応じて、意匠図柄５０の表示、非表示が切り替えられることで車両の方向指示器の動作状態を表示する。車両表示装置１は、光源１３が点灯すると、当該光源１３から奥行き方向Ｘの前面側に照射された可視光域成分の光が文字板１１の光拡散領域１１ａを介して拡散され、当該拡散された光が意匠図柄５０を構成する発光樹脂部５２の奥行き方向Ｘの背面側に入射される。そして、車両表示装置１は、発光樹脂部５２に入射した光が当該発光樹脂部５２を透過し奥行き方向Ｘの前面側から目視位置ＥＰ側に向けて出射されることで、意匠図柄５０が目視位置ＥＰから視認可能なように発光表示され、点灯表示状態となる。一方、車両表示装置１は、光源１３が消灯すると、意匠図柄５０が消灯非表示状態となる。
【００３０】
以上で説明した車両表示装置１は、押え部材１２において、可視光域成分の光を遮光する遮光樹脂部５１、及び、意匠図柄５０を構成する発光樹脂部５２が一体で形成され、遮光樹脂部５１の表面と発光樹脂部５２の表面とが揃って意匠面５３を構成する。そして、車両表示装置１は、意匠面５３に遮光樹脂部５１と発光樹脂部５２との境界５４に跨ってハーフミラー層５６が設けられるので、遮光樹脂部５１と発光樹脂部５２との境界５４を目立ち難くすることができる。この結果、車両表示装置１は、消灯非表示状態にある意匠図柄５０を目立ち難くすることができる。
【００３１】
さらに、以上で説明した車両表示装置１は、意匠図柄５０を構成する発光樹脂部５２が可視光域成分の光を減光して透過させる材料により構成されるので、意匠図柄５０の消灯非表示状態において、当該意匠図柄５０を構成する発光樹脂部５２と遮光樹脂部５１とのコントラストを抑制することができる。特に、車両表示装置１は、遮光樹脂部５１と発光樹脂部５２とが同色系の暗色系の材料によって構成されることで、当該発光樹脂部５２と遮光樹脂部５１とのコントラストをより好適に抑制することができる。この結果、車両表示装置１は、遮光樹脂部５１と発光樹脂部５２との境界５４をより目立ち難くすることができ、消灯非表示状態にある意匠図柄５０をより目立ち難くすることができる。
【００３２】
さらに、以上で説明した車両表示装置１は、意匠面５３に遮光樹脂部５１と発光樹脂部５２との境界５４に跨ってヘアライン模様５５が付されているので、意匠図柄５０の消灯非表示状態において、境界５４を当該ヘアライン模様５５によってぼやけさせることができる。この点でも、車両表示装置１は、境界５４をより目立ち難くすることができ、消灯非表示状態にある意匠図柄５０をより目立ち難くすることができる。
【００３３】
なお、上述した本発明の実施形態に係る車両表示装置は、上述した実施形態に限定されず、特許請求の範囲に記載された範囲で種々の変更が可能である。
【００３４】
以上の説明では、意匠図柄５０は、方向指示表示部５において、左右のそれぞれの矢印形状を表す方向指示記号であるものとして説明したがこれに限らない。意匠図柄５０は、警告記号、シフトポジション記号等の報知記号であってもよい。警告記号は、運転者等に対して報知すべき警告の内容を表すものであり、いわゆるテルテールともいわれる警告灯である。シフトポジション記号は、車両におけるシフトポジションを表すものであり、例えば、「Ｐ」、「Ｒ」、「Ｎ」、「Ｄ」、「Ｂ」等の文字を表す記号である。つまり、意匠図柄５０を構成する発光樹脂部５２は、上記種々の報知記号を表す形状に形成されていてもよい。
【００３５】
以上の説明では、発光樹脂部５２は、可視光域成分の光を透過する光透過性を有しかつ透過させる際に可視光域成分の光を減光して透過させるいわゆるスモーク材によって構成されるものとして説明したがこれに限らない。発光樹脂部５２は、可視光域成分の光を透過させる際に当該光を減光させないクリア材によって構成されてもよい。
【００３６】
以上の説明では、意匠面５３は、ヘアライン模様５５が付されているものとして説明したがこれに限らず、ヘアライン模様５５が付されていなくてもよい。
【００３７】
なお、図４、図５は、参考例に係る車両表示装置２０１を表している。図４、図５に示す参考例に係る車両表示装置２０１は、方向指示表示部５にかえて方向指示表示部２０５を備える点で上述の車両表示装置１と異なり、その他の構成は、当該車両表示装置１と略同様の構成である。方向指示表示部２０５は、押え部材１２にかえて樹脂部材としての押え部材２１２を備える点で上述の方向指示表示部５と異なり、その他の構成は、当該方向指示表示部５と略同様の構成である。
【００３８】
本参考例の押え部材２１２は、上述した発光樹脂部５２を含まず、遮光樹脂部２５１によって全体が構成される。遮光樹脂部２５１は、遮光樹脂部５１と同様に、可視光域成分の光を遮光する遮光性を有する樹脂材料等によって構成される。ここでは、遮光樹脂部２５１は、押え部材２１２の全体を構成する。そして、本参考例の遮光樹脂部２５１は、意匠図柄２５０を構成する貫通孔２５２が形成されている。貫通孔２５２は、意匠図柄２５０に応じた所定の形状で、奥行き方向Ｘに沿って遮光樹脂部２５１を貫通して形成される。貫通孔２５２は、樹脂等が充填されていない空間部として形成される。各貫通孔２５２は、それぞれ奥行き方向Ｘに沿って光源１３と対向する位置に設けられる。ここでは、貫通孔２５２は、遮光樹脂部２５１に対して、２つ設けられており（図４、図５ではそのうちの一方を図示）、目視位置ＥＰから奥行き方向Ｘに沿って視て、左右のそれぞれの矢印形状に形成され、それぞれ左右の矢印形状を表す意匠図柄２５０を構成する。貫通孔２５２は、光源１３から照射された可視光域成分の光を奥行き方向Ｘに沿って目視位置ＥＰ側に通過させることで意匠図柄２５０を発光表示させる。
【００３９】
そして、本参考例の貫通孔２５２は、意匠図柄２５０の輪郭線（見切り面）を構成する各壁面２５３が傾斜面として形成される。貫通孔２５２は、奥行き方向Ｘの背面側から前面側、すなわち、目視位置ＥＰ側に向かって各壁面２５３間の幅が徐々に広がるように当該各壁面２５３に傾斜が付されている。さらに言えば、貫通孔２５２は、奥行き方向Ｘの前面側から背面側に向かって先細り形状となるように当該各壁面２５３に傾斜が付されている。さらに詳細には、貫通孔２５２は、目視位置ＥＰを包含するアイレンジ内のいずれの位置から視た場合でも、奥行き方向Ｘの前面側の縁が奥行き方向Ｘの背面側の縁よりも貫通孔２５２の空間部内方側に位置しないように当該各壁面２５３に傾斜が付されている。この構成により、車両表示装置２０１は、目視位置ＥＰを包含するアイレンジ内のいずれの位置から貫通孔２５２を視た場合であっても、当該貫通孔２５２が構成する意匠図柄２５０の形状が崩れて視えないようにすることができる。この結果、車両表示装置２０１は、貫通孔２５２が構成する意匠図柄２５０の視認性を向上することができる。
【００４０】
以上の説明では、奥行き方向Ｘは、軸線方向に相当するものとして説明したがこれに限らない。
【符号の説明】
【００４１】
１    車両表示装置
１２    押え部材（樹脂部材）
５０    意匠図柄
５１    遮光樹脂部
５２    発光樹脂部
５３    意匠面
５４    境界
５５    ヘアライン模様
５６    ハーフミラー層
Ｘ    奥行き方向（軸線方向）
【図１】
2019011952.tif 000003
【図２】
2019011952.tif 000004
【図３】
2019011952.tif 000005
【図４】
2019011952.tif 000006
【図５】
2019011952.tif 000007